(57)【要約】【課題】ノード内設備を増設するか否かの判断を容易にし、ノードにおいて輻輳が発生する前に未然にその増設を完了させることが可能なトラヒック監視方法、装置及びプログラムを提供する。【解決手段】トラヒック監視装置１００のコピー方式判定部１５０は、ノードＩＤを確認してコピー方式を判定する。情報収集部１５１は、判定されたコピー方式により帯域使用率βの計算式を特定し、その計算のために必要な情報をノードから収集する。帯域使用率β算出部１５２は、収集された情報を入力し、帯域使用率の計算式を用いて帯域使用率βを算出する。増設判定手段１５３は、算出された帯域使用率βと、予め設定された閾値とを比較し、設備増設が必要であるか否かを判定する。設備増設が必要であると判定した場合は、所定のアラームセットを行い、その旨を監視者端末装置１２０へ通知する。【選択図】図２
2006246036.tif 000002
【特許請求の範囲】
【請求項１】
ネットワーク内に設けられた複数のノードと、該ノードと通信を行うトラヒック監視装置と、トラヒックを監視する監視者端末装置とを含むシステムの下で、前記ノードが所定の方式によりトラヒックをコピーして転送する場合に、該ノードの輻輳を監視し、輻輳の発生を未然に防止する前記トラヒック監視装置によるトラヒック監視方法であって、
ノードのコピー方式に基づいて、前記トラヒックに関する情報を算出するためのパラメータを選択し、該パラメータを前記ノードから収集し、
前記収集したパラメータを用いて、コピー方式の計算式により、トラヒックに関する情報を算出し、
前記算出したトラヒックに関する情報と、前記ノードにおいて輻輳が発生する前に該ノード内の設備増設を完了するための期間を考慮して予め設定した閾値とを比較し、該比較結果を監視者端末装置へ送信する、
ことを特徴とするトラヒック監視方法。
【請求項２】
請求項１に記載のトラヒック監視方法において、
前記ノードが、Ｎ個の入力インタフェース部、Ｋ個の出力インタフェース部、及び、前記Ｎ個の入力インタフェース部とＫ個の出力インタフェース部とを接続する１個のスイッチ部を備え、
前記入力インタフェース部とスイッチ部との間の転送帯域容量をＴ、安全係数をα、前記Ｎ個の入力インタフェースのうちのいずれか１つの入力インタフェース部におけるユニキャストトラヒックの帯域をＵｉｎ、マルチキャストトラヒックの帯域をＭｉｎ、トラヒックに関する情報をβ１とし、
Ｋ個の出力インタフェース部が収容するＶＬＡＮの合計数分のマルチキャストトラヒックを生成するためのコピーを、入力インタフェース部において行う場合に、
前記計算式を、
β１＝ＶＬＡＮの合計数×（Ｍｉｎ／（Ｔ×α））＋（Ｕｉｎ／（Ｔ×α））
とすることを特徴とするトラヒック監視方法。
【請求項３】
請求項１に記載のトラヒック監視方法において、
前記ノードが、Ｎ個の入力インタフェース部、Ｋ個の出力インタフェース部、及び、前記Ｎ個の入力インタフェース部とＫ個の出力インタフェース部とを接続する１個のスイッチ部を備え、
前記入力インタフェース部とスイッチ部との間の転送帯域容量をＴ、安全係数をα、前記Ｎ個の入力インタフェースのうちのいずれか１つの入力インタフェース部におけるユニキャストトラヒックの帯域をＵｉｎ、マルチキャストトラヒックの帯域をＭｉｎ、トラヒックに関する情報をβ２とし、
Ｋ個のマルチキャストトラヒックを生成するためのコピーを、入力インタフェース部において行い、Ｋ個の出力インタフェース部が収容するＶＬＡＮの合計数分のマルチキャストトラヒックを生成するためのコピーを、Ｋ個の出力インタフェース部において行う場合に、
前記計算式を、
β２＝Ｋ×（Ｍｉｎ／（Ｔ×α））＋（Ｕｉｎ／（Ｔ×α））
とすることを特徴とするトラヒック監視方法。
【請求項４】
請求項１に記載のトラヒック監視方法において、
前記ノードが、Ｎ個の入力インタフェース部、Ｋ個の出力インタフェース部、及び、前記Ｎ個の入力インタフェース部とＫ個の出力インタフェース部とを接続する１個のスイッチ部を備え、
前記入力インタフェース部とスイッチ部との間の転送帯域容量をＴ、安全係数をα、前記Ｎ個の入力インタフェースのうちのいずれか１つの入力インタフェース部におけるユニキャストトラヒックの帯域をＵｉｎ、マルチキャストトラヒックの帯域をＭｉｎ、トラヒックに関する情報をβ３とし、
Ｋ個のマルチキャストトラヒックを生成するためのコピーを、スイッチ部において行い、Ｋ個の出力インタフェース部が収容するＶＬＡＮの合計数分のマルチキャストトラヒックを生成するためのコピーを、Ｋ個の出力インタフェース部において行う場合に、
前記計算式を、
β３＝（Ｍｉｎ／（Ｔ×α））＋（Ｕｉｎ／（Ｔ×α））
とすることを特徴とするトラヒック監視方法。
【請求項５】
ネットワーク内に設けられた複数のノードと、該ノードと通信を行うトラヒック監視装置と、トラヒックを監視する監視者端末装置とを含むシステムの下で、前記ノードが所定の方式によりトラヒックをコピーして転送する場合に、該ノードの輻輳を監視し、輻輳の発生を未然に防止する前記トラヒック監視装置であって、
ノードのコピー方式に基づいて、トラヒックに関する情報を算出するためのパラメータを選択し、該パラメータを前記ノードから収集するパラメータ収集部と、
該パラメータ収集部により収集されたパラメータを用いて、前記コピー方式の計算式により、トラヒックに関する情報を算出するトラヒック情報算出部と、
該トラヒック情報算出部により算出されたトラヒックに関する情報と、前記ノードにおいて輻輳が発生する前に該ノード内の設備増設を完了するための期間を考慮して予め設定した閾値とを比較し、該比較結果を監視者端末装置へ送信する増設要否判定部と、
を備えたことを特徴とするトラヒック監視装置。
【請求項６】
ネットワーク内に設けられた複数のノードと、該ノードと通信を行うトラヒック監視装置と、トラヒックを監視する監視者端末装置とを含むシステムの下で、前記ノードが所定の方式によりトラヒックをコピーして転送する場合に、該ノードの輻輳を監視し、輻輳の発生を未然に防止する前記トラヒック監視装置を構成するコンピュータに実行させるプログラムであって、
ノードのコピー方式に基づいて、トラヒックに関する情報を算出するためのパラメータを選択し、該パラメータを前記ノードから収集する処理と、
該パラメータを用いて、前記コピー方式の計算式により、トラヒックに関する情報を算出する処理と、
該トラヒックに関する情報と、前記ノードにおいて輻輳が発生する前に該ノード内の設備増設を完了するための期間を考慮して予め設定した閾値とを比較し、該比較結果を監視者端末装置へ送信する処理と、
を実行させるトラヒック監視プログラム。
【発明の詳細な説明】
【技術分野】
【０００１】
本発明は、ネットワーク内で運用される複数のノードから運用情報を取得し、当該運用情報に基づいて、輻輳が発生しないように最適な設備状態を維持することを目的とするトラヒック監視技術に関する。
【背景技術】
【０００２】
図７及び図８を参照して、従来のトラヒック監視方法について説明する。
図７は、従来のトラヒック監視システムの構成を示すブロック図である。図７において、６５０はネットワーク、６６０，６７０，６８０はノード＃１〜＃３、６９０はトラヒック監視装置、６６１，６７１，６８１はノード＃１〜３（６６０，６７０，６８０）とトラヒック監視装置６９０との間の伝達ルート、６４０はネットワーク６５０の監視者が操作する監視者端末装置である。
【０００３】
トラヒック監視装置６９０は、ネットワーク６５０内のノード＃１〜３（６６０，６７０，６８０）におけるそれぞれのノード状態を、伝達ルート６６１，６７１，６８１を介して確認し、ノードにおける輻輳の発生の有無を判断する。輻輳が発生していると判断した場合は、そのノードからトラヒック情報を収集し、監視者端末装置６４０へ通知する。監視者端末装置６４０は、トラヒック監視装置６９０からトラヒック情報の通知を受ける。
【０００４】
次に、トラヒック監視装置６９０の処理について、図８に示すシーケンス図を参照して説明する。ステップ６０１はノード状態確認、ステップ６１１は輻輳警報確認、ステップ６２１は輻輳発生ノードの取得可能なトラヒック情報の収集、ステップ６３１はトラヒック情報等の通知の各処理を表す。ステップ６０２はステップ６０１からステップ６１１への状態遷移、ステップ６０３はステップ６１１からステップ６２１への状態遷移、ステップ６１２はステップ６１１からステップ６０１への状態遷移、ステップ６２２はステップ６２１からステップ６０１への状態遷移である。以下、各ステップの処理について説明する。
【０００５】
ステップ６０１では、トラヒック監視装置６９０が、ノード＃１（６６０）からノード＃３（６８０）までのいずれか１つのノードを選択し、そのノード状態を確認し、ステップ６０２に沿ってステップ６１１へ遷移する。ステップ６１１では、輻輳警報の確認を行い、輻輳が発生していることを確認した場合はステップ６０３に沿ってステップ６２１へ遷移する。一方、輻輳が未発生であることを確認した場合はステップ６１２に沿ってステップ６０１へ遷移し、次のノード確認状態に移行する。ステップ６２１では、輻輳発生ノードにおいて取得可能なトラヒック情報を収集し、ステップ６３１に従って、収集したトラヒック情報を監視者端末装置６４０へ通知すると共に、ステップ６２２に沿ってステップ６０１へ移行する。監視者端末装置６４０は、ステップ６３１に従ってトラヒック情報の通知を受ける。これにより、監視者は、通知を受けたトラヒック情報に基づいて輻輳が発生したノードを把握し、そのノード内のボトルネック設備を抽出して個別に増設判断を行うことができる。
【０００６】
ところで、図７及び８に示したトラヒック監視技術に関連する技術として、例えば、通信網内で複数の端末を収容するインタフェースにおいて、収容している任意の端末に対してそれぞれ独立に一定時間セルを監視し、監視時間中に転送されたトラヒック属性を表す各パラメータを求め、全到着セル数に対する違反セル数の割合が閾値以上のときに求めた各パラメータを端末へ通知する技術が開示されている。これにより、様々なトラヒック属性をもつ端末を収容する通信網上の任意のインタフェースにおいて、要求する通信のトラヒック属性をパラメータを用いて正しく表現し、それを通信網に申告することが可能となる（特許文献１を参照）。
【０００７】
また、トラヒック監視装置が、入力したパケットの到着間隔を測定し、当該到着間隔が予め設定された閾値より大きい場合にオーバーフロー通知を発し、当該オーバーフロー通知の間隔を測定し、当該間隔が予め設定された閾値より大きい場合に超過通知を発する技術が開示されている。この超過通知に基づいてトラヒックを監視することにより、バースト到着の監視を精度良く行うことが可能となる（特許文献２を参照）。
【０００８】
【特許文献１】特開平６−３７７８７号公報
【特許文献２】特開平９−１８１７４６号公報
【発明の開示】
【発明が解決しようとする課題】
【０００９】
しかしながら、上述した従来技術では、ノード内転送のボトルネック条件が各ノードにおいて異なる場合、入力トラヒックの制限値も各ノードにおいて異なるため、監視者は、トラヒック監視装置から通知されるトラヒック情報に基づいて、設備増設の判断のために必要な計算をノード単位に個別に行う必要がある。このため、設備増設の判断が難しいという問題があった。また、設備増設の判断は、輻輳状態の発生を確認した後に行われるため、ネットワーク内のノードにおいてパケットロスにより通信の支障が生じるという問題もあった。
【００１０】
そこで、本発明の目的は、ノードの設備を増設するか否かの判断を容易にし、ノードにおいて輻輳が発生する前に未然にその設備の増設を完了させることが可能なトラヒック監視方法、装置及びプログラムを提供することにある。
【課題を解決するための手段】
【００１１】
上記の問題を解決するために、本発明は、ネットワーク内に設けられた複数のノードと、該ノードと通信を行うトラヒック監視装置と、トラヒックを監視する監視者端末装置とを含むシステムの下で、前記ノードが所定の方式によりトラヒックをコピーして転送する場合に、該ノードの輻輳を監視し、輻輳の発生を未然に防止する前記トラヒック監視装置が、パラメータ収集部、トラヒック情報算出部及び増設要否判定部を備え、パラメータ収集部が、ノードのコピー方式に基づいて、トラヒックに関する情報を算出するためのパラメータを選択し、該パラメータを前記ノードから収集し、トラヒック情報算出部が、前記パラメータ収集部により収集されたパラメータを用いて、前記コピー方式の計算式により、トラヒックに関する情報を算出し、増設要否判定部が、前記トラヒック情報算出部により算出されたトラヒックに関する情報と、前記ノードにおいて輻輳が発生する前に該ノード内の設備増設を完了するための期間を考慮して予め設定した閾値とを比較し、該比較結果を監視者端末装置へ送信することを特徴とする。
【発明の効果】
【００１２】
本発明によれば、トラヒック監視装置が、ノード内転送のボトルネック条件に対応する計算式を用いてトラヒックに関する情報を自動的に計算するため、ノードにおける設備増設の判断が容易となり、監視者は、監視者端末装置を用いて一元的かつ簡易なトラヒック監視が可能となる。また、トラヒック監視装置は、増設判断から増設工事までの期間を考慮した閾値を用いて設備増設を判断するようにしたから、輻輳が発生する前に未然に設備の増設を完了させることが可能となる。
【発明を実施するための最良の形態】
【００１３】
以下、本発明の実施の形態について、図面を参照して詳細に説明する。尚、以下の説明では、ノード内部転送のボトルネック条件として、マルチキャストコピー方式が異なる場合を例とする。図１は、本発明の実施形態に係るトラヒック監視システムの構成を示すブロック図である。図１において、１１０はネットワーク、２００は入力コピー型ノード、３００は入出力コピー型ノード、４００はスイッチコピー型ノード、１００はトラヒック監視装置、１０１は入力コピー型ノード２００とトラヒック監視装置１００との間の伝達ルート、１０２は入出力コピー型ノード３００とトラヒック監視装置１００との間の伝達ルート、１０３は入力コピー型ノード４００とトラヒック監視装置１００との間の伝達ルート、１２０は監視者端末装置である。
【００１４】
入力コピー型ノード２００は、マルチキャストトラヒックを入力ＩＦ（インタフェース）にてコピーする仕様のノードである。また、入出力コピー型ノード３００は、マルチキャストトラヒックを入力ＩＦ及び出力ＩＦにてコピーする仕様のノードである。また、スイッチコピー型ノード４００は、マルチキャストトラヒックをスイッチにてコピーする仕様のノードである。尚、これらのノード２００，３００，４００は、アーキテクチャ（構成
の違いにより、それぞれ異なる内部転送のボトルネック条件を有している。
【００１５】
トラヒック監視装置１００は、伝達ルート１０１，１０２，１０３を介して、入力コピー型ノード２００、入出力コピー型ノード３００、及びスイッチコピー型ノード４００から、既存技術であるコマンドレスポンスやトラップ等の通信手段を用いて（例えば、ＣＬＩ（Command Line Interface）やＳＮＭＰ（Simple Network Management Protocol）を用いて）、情報収集を行う。監視者端末装置１２０は、トラヒック監視装置１００からトラヒック情報の通知を受ける。これにより、監視者は、ネットワーク１１０内の各ノード２００，３００，４００の状況を把握し、各ノード内の入力ＩＦや出力ＩＦ等の設備増設の実施可否を決定することができる。
【００１６】
図２は、図１に示した入力コピー型ノード２００の構成を示すブロック図である。
図２において、２００は入力コピー型ノード、２０１はユニキャスト入力トラヒック（以下、Ｕｉｎという。）、２０２はマルチキャスト入力トラヒック（以下、Ｍｉｎという。）、２０３は入力ＩＦ＃０（２１０）内のコピーポイント、２１０は入力ＩＦ＃０、２２０は入力ＩＦ＃１、２３０は出力ＩＦ＃０、２４０は出力ＩＦ＃１、２３１はユニキャスト出力トラヒック（以下、Ｕｏｕｔという。）、２３２，２３３，２４２，２４３はマルチキャスト出力トラヒック（以下、Ｍｏｕｔという。）、２３４はＶＬＡＮ（Virtual Local Area Network）＃０、２３５はＶＬＡＮ＃１、２４４はＶＬＡＮ＃２、２４５はＶＬＡＮ＃３、２５０は入力ＩＦ＃０（２１０）とスイッチ２６０との間の帯域（以下、Ｔという。）、２６０はスイッチ、２７０は入力ＩＦ＃０（２１０）とスイッチ２６０との間の帯域使用率β１を表す式である。
【００１７】
入力コピー型ノード２００は、入力ＩＦ＃０（２１０）、入力ＩＦ＃１（２２０）、スイッチ２６０、出力ＩＦ＃０（２３０）及び出力ＩＦ＃１（２４０）を備えている。入力ＩＦ＃０（２１０）は、外部からＵｉｎ２０１を入力し、スイッチ２６０へ出力し、スイッチ２６０は、Ｕｉｎ２０１を出力ＩＦ＃０（２３０）に出力する。出力ＩＦ＃０（２３０）は、Ｕｉｎ２０１をＵｏｕｔ２３１として外部へ出力する。
【００１８】
また、入力ＩＦ＃０（２１０）は、外部からＭｉｎ２０２を入力し、ＶＬＡＮ数分のＭｉｎ２０２を生成するためにコピー処理を行い（本例では、ＶＬＡＮ＃０（２３４）〜＃３（２４５）の合計ＶＬＡＮ数分である４つのトラヒックを生成するためのコピー処理を行う。）、スイッチ２６０に出力する。スイッチ２６０は、Ｍｉｎ２０２を出力ＩＦ＃０（２３０），＃１（２４０）にそれぞれ出力する。出力ＩＦ＃０（２３０）は、Ｍｉｎ２０２をＭｏｕｔ２３２，２３３としてＶＬＡＮ＃０（２３４），＃１（２３５）にそれぞれ出力する。同様に、出力ＩＦ＃１（２４０）は、Ｍｉｎ２０２をＭｏｕｔ２４２，２４３としてＶＬＡＮ＃２（２４４），＃３（２４５）にそれぞれ出力する。
【００１９】
このような構成の下で、入力ＩＦ＃０（２１０）とスイッチ２６０との間の帯域使用率β１は、式２７０により算出することができる。ここで、式２７０のＭｉｎはＭｉｎ２０２の帯域（ｂｐｓ）を、ＵｉｎはＵｉｎ２０１の帯域（ｂｐｓ）を、αはトラヒックの変動を考慮した安全係数をそれぞれ表す。
【００２０】
図３は、図１に示した入出力コピー型ノード３００の構成を示すブロック図である。
図３において、３００は入出力コピー型ノード、２０１はＵｉｎ、２０２はＭｉｎ、３０３は入力ＩＦ＃０（３１０）内のコピーポイント、３１０は入力ＩＦ＃０、３２０は入力ＩＦ＃１、３３０は出力ＩＦ＃０、３４０は出力ＩＦ＃１、２３１はＵｏｕｔ、２３２，２３３，２４２，２４３はＭｏｕｔ、２３４はＶＬＡＮ＃０、２３５はＶＬＡＮ＃１、２４４はＶＬＡＮ＃２、２４５はＶＬＡＮ＃３、３３６は出力ＩＦ＃０（３３０）内のコピーポイント、３４６は出力ＩＦ＃１（３４０）内のコピーポイント、３６０はスイッチ、２５０は入力ＩＦ＃０（３１０）とスイッチ３６０との間の帯域Ｔ、３７０は入力ＩＦ＃０（３１０）とスイッチ３６０との間の帯域使用率β２を表す式である。
【００２１】
入出力コピー型ノード３００は、入力ＩＦ＃０（３１０）、入力ＩＦ＃１（３２０）、スイッチ３６０、出力ＩＦ＃０（３３０）及び出力ＩＦ＃１（３４０）を備えている。入力ＩＦ＃０（３１０）は、外部からＵｉｎ２０１を入力し、スイッチ３６０に出力し、スイッチ３６０は、Ｕｉｎ２０１を出力ＩＦ＃０（３３０）に出力する。出力ＩＦ＃０（３３０）は、Ｕｉｎ２０１をＵｏｕｔ２３１として外部へ出力する。
【００２２】
また、入力ＩＦ＃０（３１０）は、外部からＭｉｎ２０２を入力し、出力ＩＦ数分のＭｉｎ２０２を生成するためにコピー処理を行い（本例では、出力ＩＦ＃０（３３０），＃１（３４０）の合計出力ＩＦ数分である２つのトラヒックを生成するためのコピー処理を行う。）、スイッチ３６０に出力する。スイッチ３６０は、Ｍｉｎ２０２を出力ＩＦ＃０（３３０），＃１（３４０）にそれぞれ出力する。出力ＩＦ＃０（３３０）は、Ｍｉｎ２０２を入力し、ＶＬＡＮ数分のＭｏｕｔ２３２，２３３を生成するためにコピー処理を行い（本例では、ＶＬＡＮ＃０（２３４），＃１（２３５）の合計ＶＬＡＮ数分である２つのトラヒックを生成するためのコピー処理を行う。）、ＶＬＡＮ＃０（２３４），＃１（２３５）へそれぞれ出力する。同様に、出力ＩＦ＃１（３４０）は、Ｍｉｎ２０２を入力し、ＶＬＡＮ数分のマルチキャスト出力トラヒックＭｏｕｔ２４４，２４５を生成するためにコピー処理を行い（本例では、ＶＬＡＮ＃２（２４４），＃３（２４５）の合計ＶＬＡＮ数分である２つのトラヒックを生成するためのコピー処理を行う。）、ＶＬＡＮ＃２（２４４），＃３（２４５）へそれぞれ出力する。
【００２３】
このような構成の下で、入力ＩＦ＃０（３１０）とスイッチ３６０との間の帯域使用率β２は、式３７０により算出することができる。ここで、式３７０のＭｉｎはＭｉｎ２０２の帯域（ｂｐｓ）を、ＵｉｎはＵｉｎ２０１の帯域（ｂｐｓ）を、αはトラヒックの変動を考慮した安全係数をそれぞれ表す。
【００２４】
図４は、図１に示したスイッチコピー型ノード４００の構成を示すブロック図である。
図４において、４００はスイッチコピー型ノード、２０１はＵｉｎ、２０２はＭｉｎ、４１０は入力ＩＦ＃０、４２０は入力ＩＦ＃１、４３０は出力ＩＦ＃０、４４０は出力ＩＦ＃１、２３１はＵｏｕｔ、２３２，２３３，２４２，２４３はＭｏｕｔ、２３４はＶＬＡＮ＃０、２３５はＶＬＡＮ＃１、２４４はＶＬＡＮ＃２、２４５はＶＬＡＮ＃３、４３６は出力ＩＦ＃０（４３０）内のコピーポイント、４４６は出力ＩＦ＃１（４４０）内のコピーポイント、４６０はスイッチ、２５０は入力ＩＦ＃０（４１０）とスイッチ４６０との間の帯域Ｔ、４７０は入力ＩＦ＃０（４１０）とスイッチ４６０との間の帯域使用率β３を表す式である。
【００２５】
スイッチコピー型ノード４００は、入力ＩＦ＃０（４１０）、入力ＩＦ＃１（４２０）、スイッチ４６０、出力ＩＦ＃０（４３０）及び出力ＩＦ＃１（４４０）を備えている。入力ＩＦ＃０（４１０）は、外部からＵｉｎ２０１を入力し、スイッチ４６０に出力し、スイッチ４６０は、Ｕｉｎ２０１を出力ＩＦ＃０（４３０）に出力する。出力ＩＦ＃０（４３０）は、Ｕｉｎ２０１をＵｏｕｔ２３１として外部へ出力する。
【００２６】
また、入力ＩＦ＃０（４１０）は、外部からＭｉｎ２０２を入力し、スイッチ２６０に出力する。スイッチ２６０は、Ｍｉｎ２０２を入力し、出力ＩＦ数分のＭｉｎ２０２を生成するためにコピー処理を行い（本例では、出力ＩＦ＃０（４３０），＃１（４４０）の合計出力ＩＦ数分である２つのトラヒックを生成するためのコピー処理を行う。）、出力ＩＦ＃０（４３０），＃１（４４０）にそれぞれ出力する。出力ＩＦ＃０（４３０）は、Ｍｉｎ２０２を入力し、ＶＬＡＮ数分のＭｏｕｔ２３２，２３３を生成するためにコピー処理を行い（本例では、ＶＬＡＮ＃０（２３４），＃１（２３５）の合計ＶＬＡＮ数分である２つのトラヒックを生成するためのコピー処理を行う。）、ＶＬＡＮ＃０（２３４），＃１（２３５）へそれぞれ出力する。同様に、出力ＩＦ＃１（４４０）は、Ｍｉｎ２０２を入力し、ＶＬＡＮ数分のＭｏｕｔ２４４，２４５を生成するためにコピー処理を行い（本例では、ＶＬＡＮ＃２（２４４），＃３（２４５）の合計ＶＬＡＮ数分である２つのトラヒックを生成するためのコピー処理を行う。）、ＶＬＡＮ＃２（２４４），＃３（２４５）へそれぞれ出力する。
【００２７】
このような構成の下で、入力ＩＦ＃０（４１０）とスイッチ４６０との間の帯域使用率β２は、式４７０により算出することができる。ここで、式４７０のＭｉｎはＭｉｎ２０２の帯域（ｂｐｓ）を、ＵｉｎはＵｉｎ２０１の帯域（ｂｐｓ）を、αはトラヒックの変動を考慮した安全係数をそれぞれ表す。
【００２８】
次に、トラヒック監視装置１００の処理について、図５に示すシーケンス図を参照して説明する。ステップ５０１はノードを識別するためのノードＩＤ確認処理、ステップ５２１は入力コピー方式において必要な収集情報選択処理、ステップ５２２は入出力コピー方式において必要な収集情報を選択する処理、ステップ５２３はスイッチコピー方式において必要な収集情報を選択する処理、ステップ５３１は入力コピー方式において情報を収集する処理、ステップ５３２は入出力コピー方式において情報を収集する処理、ステップ５３３はスイッチコピー方式において情報を収集する処理、ステップ５４１は式２７０による計算処理、ステップ５４２は式３７０による計算処理、ステップ５４３は式４７０による計算処理、ステップ５５１は増設閾値判断処理、ステップ５６１は増設が必要であると判断した場合の処理、ステップ５６２は増設が不要であると判断した場合の処理、５６３は増設閾値判断結果等の通知処理をそれぞれ表す。
【００２９】
また、５１１は入力コピー方式を認識した場合の遷移、ステップ５１２は入出力コピー方式を認識した場合の遷移、ステップ５１３はスイッチコピー方式を認識した場合の遷移、ステップ５０２はステップ５０１からステップ５１１への状態遷移、ステップ５０３はステップ５０１からステップ５１２への状態遷移、ステップ５０４はステップ５０１からステップ５１３への状態遷移、ステップ５１４はステップ５１１からステップ５２１への状態遷移、ステップ５１５はステップ５１２からステップ５２２への状態遷移、ステップ５１６はステップ５１３からステップ５２３への状態遷移、ステップ５２４はステップ５２１からステップ５３１への状態遷移、ステップ５２５はステップ５２２からステップ５３２への状態遷移、ステップ５２６はステップ５２３からステップ５３３への状態遷移、ステップ５３４はステップ５３１からステップ５４１への状態遷移、ステップ５３５はステップ５３２からステップ５４２への状態遷移、ステップ５３６はステップ５３３からステップ５４３への状態遷移、ステップ５４４はステップ５４１からステップ５５１への状態遷移、ステップ５４５はステップ５４２からステップ５５１への状態遷移、ステップ５４６はステップ５４３からステップ５５１への状態遷移、ステップ５５２はステップ５５１からステップ５６１への状態遷移、ステップ５５３はステップ５５１からステップ５６２への状態遷移、ステップ５６４はステップ５６１からステップ５０１への状態遷移、ステップ５６５はステップ５６２からステップ５０１への状態遷移をそれぞれ表す。以下、各ステップの処理について説明する。
【００３０】
トラヒック監視装置１００は、入力コピー型ノード２００、入出力コピー型ノード３００及びスイッチコピー型ノード４００の中から確認対象のノードを選択し、選択したノードから、ノードのコピー方式を特定するためのノードＩＤを取得し、コピー方式を確認し（ステップ５０１）、次のステップ５１１、５１２、５１３に遷移する。
【００３１】
トラヒック監視装置１００は、入力コピー方式を確認した場合（ステップ５１１）、ステップ５１４に遷移後、入力コピー方式において必要な収集情報（本例では、入力ＩＦに関するトラヒック情報（Ｕｉｎ２０１、Ｍｉｎ２０２の帯域）及びマルチキャスト出力ＩＦに関する情報（出力ＩＦ数、ＶＬＡＮ数）を選択し（ステップ５２１）、対象ノードである入力コピー型ノード２００から情報を収集後（ステップ５３１）、式２７０を用いて帯域使用率β１を計算し（ステップ５４１）、ステップ５４４を経由してステップ５５１に遷移する。
【００３２】
トラヒック監視装置１００は、入出力コピー方式を確認した場合（ステップ５１２）、ステップ５１５に遷移後、入力コピー方式で必要な収集情報（本例では、入力ＩＦに関するトラヒック情報（Ｕｉｎ２０１、Ｍｉｎ２０２の帯域）及びマルチキャスト出力ＩＦに関する情報（出力ＩＦ数））を選択し（ステップ５２２）、対象ノードである入出力コピー型ノード３００から情報を収集後（ステップ５３２）、式３７０を用いて帯域使用率β２を計算し（ステップ５４２）、ステップ５４５を経由してステップ５５１に遷移する。
【００３３】
トラヒック監視装置１００は、スイッチコピー方式を確認した場合（ステップ５１３）、ステップ５１６に遷移後、入力コピー方式で必要な収集情報（本例では、入力ＩＦに関するトラヒック情報（Ｕｉｎ２０１、Ｍｉｎ２０２の帯域））を選択し（ステップ５２３）、対象ノードであるスイッチコピー型ノード４００から情報を収集後（ステップ５３３）、式４７０を用いて帯域使用率β３を計算し（ステップ５４３）、ステップ５４６を経由してステップ５５１に遷移する。
【００３４】
また、トラヒック監視装置１００は、ステップ５４１〜５４３において算出した帯域使用率βと増設閾値とを比較し（ステップ５５１）、「β≧増設閾値」の場合は、ステップ５５２経由で、設備増設が必要であると判断して所定のアラームセットを行い（ステップ５５２）、そのノード内に備えた入力ＩＦ等の設備増設が必要である旨を監視者端末装置１２０へ通知する（ステップ５６３）。この場合、設備の増設量を判断するために必要な情報として、ステップ５３１において収集した情報も監視者端末装置１２０へ通知するようにしてもよい。また、次のノード確認へ移行するために、ステップ５６４経由でステップ５０１に遷移する。一方、「β＜増設閾値」の場合は、ステップ５５３経由で、増設設備が不要であると判断して（ステップ５６２）、次のノード確認へ移行するために、ステップ５６５経由でステップ５０１に遷移する。
【００３５】
ここで、ステップ５５１の増設閾値は、輻輳が発生する前に未然に設備の増設が完了できる期間を考慮した閾値（トラヒック変動を加味した安全係数αを考慮した、増設判断から設備増設工事までの期間の値）とする。これにより、ネットワーク１１０内の入力コピー型ノード２００、入出力コピー型ノード３００及びスイッチコピー型ノード４００において、パケットロスによる通信への支障を回避することが可能となる。
【００３６】
次に、トラヒック監視装置１００の構成について、図６に示すブロック図を参照して説明する。図６において、１５０はコピー方式判定部、１５１は情報収集部、１５２は帯域使用率β算出部、１５３は増設要否判定部１５３を表す。トラヒック監視装置１００は、コピー方式判定部１５０、情報収集部１５１、帯域使用率β算出部１５２及び増設要否判定部１５３を備えている。コピー方式判定部１５０は、図５に示したステップ５０１，５１１〜５１３の処理を行い、判定した方式を情報収集部１５１に出力する。情報収集部１５１は、コピー方式判定部１５０により判定された方式を入力し、ステップ５２１〜５２３，５３１〜５３３の処理を行い、収集した情報を帯域使用率β算出部１５２に出力する。帯域使用率β算出部１５２は、情報収集部１５１により収集された情報を入力し、ステップ５４１〜５４３の処理を行い、算出した帯域使用率βを増設判定手段１５３に出力する。増設判定手段１５３は、帯域使用率β算出部１５２により算出された帯域使用率βを入力し、ステップ５５１，５６１，５６２の処理を行い、帯域使用率βと、予めメモリに格納された閾値とを比較し、設備増設が必要であると判定した場合は、所定のアラームセットを行い（ステップ５６１）、その旨を監視者端末装置１２０へ通知する。
【００３７】
以上のように、本発明の実施の形態によれば、トラヒック監視装置１００が、ノード内転送のボトルネック条件に対応する計算式２０１，３０１，４０１を用いて、帯域使用率βを自動的に計算するようにしたから、設備増設の判断が容易となり、監視者は、監視者端末装置１２０を用いて一元的かつ簡易なトラヒック監視が可能となる。また、トラヒック監視装置１００は、増設判断から増設工事までの期間を考慮した増設閾値を用いて、設備増設の判断を行うようにしたから、輻輳が発生する前に未然に設備の増設を完了させることが可能となる。
【００３８】
尚、トラヒック監視装置１００は、ＣＰＵ、ＲＡＭ等の揮発性の記憶媒体、ＲＯＭ等の不揮発性の記憶媒体、キーボードやポインティングデバイス等の入力装置、画像やデータを表示するモニタ装置、及び外部の装置と通信をするためのインタフェースを備えたコンピュータ装置によって構成されるようにしてもよい。この場合、トラヒック監視装置１００に備えたコピー方式判定部１５０、情報収集部１５１、帯域使用率β算出部１５２及び増設要否判定部１５３の各機能は、これらの機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【図面の簡単な説明】
【００３９】
【図１】本発明の実施形態に係るトラヒック監視システムの構成を示すブロック図である。
【図２】入力コピー型ノードの構成を示すブロック図である。
【図３】入出力コピー型ノードの構成を示すブロック図である。
【図４】スイッチコピー型ノードの構成を示すブロック図である。
【図５】トラヒック監視装置の処理を示すシーケンス図である。
【図６】トラヒック監視装置の構成を示すブロック図である。
【図７】従来のトラヒック監視システムの構成を示すブロック図である。
【図８】従来のトラヒック監視装置の処理を示すシーケンス図である。
【符号の説明】
【００４０】
１００，６９０  トラヒック監視装置
１０１，１０２，１０３，６６１，６６２，６６３  伝達ルート
１１０，６５０  ネットワーク
１２０，６４０  監視者端末装置
１５０  コピー方式判定部
１５１  情報収集部
１５２  帯域使用率β算出部
１５３  増設要否判定部
２００  入力コピー型ノード
２０３，３０３，３３６，３４６，４５１，４３６，４４６  コピーポイント
２１０，３１０，４１０  入力ＩＦ＃０
２２０，３２０，４２０  入力ＩＦ＃１
２３０，３３０，４３０  出力ＩＦ＃０
２４０，３４０，４４０  出力ＩＦ＃１
２３４  ＶＬＡＮ＃０
２３５  ＶＬＡＮ＃１
２４４  ＶＬＡＮ＃２
２４５  ＶＬＡＮ＃３
２６０，３６０，４６０  スイッチ
３００  入出力コピー型ノード
４００  スイッチコピー型ノード
６６０，６７０，６８０  ノード
【図１】
2006246036.tif 000003
【図２】
2006246036.tif 000004
【図３】
2006246036.tif 000005
【図４】
2006246036.tif 000006
【図５】
2006246036.tif 000007
【図６】
2006246036.tif 000008
【図７】
2006246036.tif 000009
【図８】
2006246036.tif 000010